(57)【要約】【課題】遊戯台を使用できないようにする遊戯台カバーを提供する。【解決手段】  遊戯台１と該遊戯台１を配置する枠部４との間の隙間Ｓ１に差し込んで係止する差込係止部１６と、差込係止部１６に取り付けられて遊戯台１の前面３を被うカバー本体１７とを備える。【選択図】図４
2006174901.tif 000002
【特許請求の範囲】
【請求項１】
遊戯台と該遊戯台を配置する枠部との間の隙間に差し込んで係止する差込係止部と、該差込係止部に取り付けられて遊戯台の前面を被うカバー本体とを備えたことを特徴とする遊戯台カバー。
【請求項２】
差込係止部を、密着面を備えた平面板で構成した請求項１記載の遊戯台カバー。
【請求項３】
遊戯台又は枠部へ着脱可能な取付手段を備えた請求項１又は２記載の遊戯台カバー。
【請求項４】
カバー本体の外側面に、表示物を差し込むよう収納部を備えた請求項１〜３のいずれかに記載の遊戯台カバー。
【発明の詳細な説明】
【技術分野】
【０００１】
本発明は、遊戯台に用いる遊戯台カバーに関するものである。
【背景技術】
【０００２】
一般に、図８に示す如く、パチンコゲーム等の遊戯台１は、盤面２側の前面３を露出させるよう木枠等の枠部４により上面５、左側面６、右側面７、下面８を囲って設置されている。
【０００３】
又、遊戯台１の前面３には、当たり状態でパチンコ玉が払出口９から払い出される上皿部１０と、パチンコ玉を上皿部１０から移動させる下皿部１１とを備えており、上皿部１０にある程度パチンコ玉が溜った場合には適宜下皿部１１に移し、更にパチンコ玉が溜った場合には、収納容器（図示せず）に移し変えて別途保管するようにしている。なお、図中、１２はハンドル等の操作部、１３は遊戯台１の前面３の装飾部、１４は枠部４の台座面を示している。
【０００４】
そして、遊戯台１の使用者が休憩を取る際には、パチンコ玉を溜めた上皿部１０や下皿部１１にプレート（図示せず）を配置して使用中であることを提示すると共に、パチンコ玉を収納した収納容器に蓋を被せて盗難や他人の誤使用を防止するようにしている（例えば、特許文献１、２参照）。
【特許文献１】実用新案登録第３０８６８０９号公報
【特許文献２】特開２００２−１４３５４６号公報
【発明の開示】
【発明が解決しようとする課題】
【０００５】
しかしながら、遊戯台１の使用者が休憩を取る際に上皿部１０や下皿部１１に使用中のプレートを配置しても、上皿部１０のパチンコ玉に対して他人が容易に触れる状態であるため、盗難や他人の誤使用を防止できないという問題があった。又、遊戯台１の上皿部１０や下皿部１１は種々の形状があるため、収納容器の如く一様に蓋を被せることができず、結果的にパチンコ玉を露出させるという問題があった。
【０００６】
本発明は、上述の実情に鑑み、遊戯台を使用できないようにする遊戯台カバーを提供することを目的とするものである。
【課題を解決するための手段】
【０００７】
本発明は、遊戯台と該遊戯台を配置する枠部との間の隙間に差し込んで係止する差込係止部と、該差込係止部に取り付けられて遊戯台の前面を被うカバー本体とを備えたことを特徴とする遊戯台カバーにかかるものである。
【０００８】
本発明は、差込係止部を、密着材を備えた平面板で構成することが好ましい。
【０００９】
本発明は、遊戯台又は枠部へ着脱可能な取付手段を備えることが好ましい。
【００１０】
本発明は、カバー本体の外側面に、表示物を差し込むよう収納部を備えることが好ましい。
【００１１】
このように、本発明の遊戯台カバーによれば、差込係止部を、遊戯台と枠部との間の隙間に差し込んで係止し、カバー本体を遊戯台の前面に配置し得るので、カバー本体により遊戯台を被って使用できないようにすることができる。又、カバー本体により上皿部及び下皿部を被うので、上皿部及び下皿部に対して容易に触れる状態を制限し、盗難や誤使用を防止することができる。更に、差込係止部で係止されたカバー本体により遊戯台の前面を被うので、遊戯台の前面の形状に影響を受けることなく、カバー本体を容易に配置することができる。
【００１２】
差込係止部を、密着材を備えた平面板で構成すると、差込係止部を、遊戯台と枠部との間の隙間に差し込んで容易に係止し得るので、カバー本体を遊戯台の前面に好適に配置することができる。
【００１３】
遊戯台又は枠部へ着脱可能な取付手段を備えると、カバー本体を遊戯台の前面に一層好適に配置することができる。
【００１４】
カバー本体の外側面に、表示物を差し込むよう収納部を備えると、収納部を介して表示物を配置し得るので、遊戯台が使用できないことを表示物により知らせ、盗難や誤使用を好適に防止することができる。
【発明の効果】
【００１５】
以上説明したように、本発明の遊戯台カバーによれば、差込係止部を、遊戯台と枠部との間の隙間に差し込んで係止し、カバー本体により遊戯台を被って使用できないようにすることができるという優れた効果を奏し得る。
【発明を実施するための最良の形態】
【００１６】
以下、本発明の実施の形態を図面に基いて説明する。
【００１７】
図１〜図５は、本発明の遊戯台カバーを実施する形態の第一例である。
【００１８】
本形態の第一例の遊戯台カバー１５は、遊戯台１の上面５と枠部４との間の隙間Ｓ１に差し込み得る厚さの差込係止部１６と、差込係止部１６に接続されて下方向へ延在するカバー本体１７と、カバー本体１７を伸張させる重し部１８とを備えている。
【００１９】
差込係止部１６は、長方形で樹脂製の平面板１９と、平面板１９の裏面に縫い付けられたスポンジ等の柔軟なシート状の密着材２０とから構成されており、平面板１９と密着材２０の間には、カバー本体１７の上側端部１７ａを挟み込んで縫い付けている。ここで、密着材２０は、隙間Ｓ１に差し込んで係止し得るならば、どのような形状、材質、大きさでも良い。
【００２０】
カバー本体１７は一枚のメッシュ布で構成されており、カバー本体１７の外側面には「離席中」等の表示や「新台ＯＰＥＮ」等の広告のチラシやプレート（表示物）を表示し得るよう、チラシやプレート（表示物）を上方若しくは側方から差し込むポケット状の透明な収納部２１を縫い付けている。ここで、カバー本体１７は、メッシュ状の素材に限定されるものでなく、布、ビニール等のカバー形状を構成するならば、どのような材質でも良い。
【００２１】
重し部１８は、所定の重さを備えた中空の軸状部材で構成されており、又、カバー本体１７の下部１７ｂが折り返して縫い付けられることにより、重し部１８の全体を包み込んでカバー本体１７の下端に配置されている。
【００２２】
以下、本発明を実施する形態の第一例の作用を説明する。
【００２３】
遊戯台１の使用者が休憩を取る場合や、故障や認可待ちにより遊戯台１を使用できない場合には、差込係止部１６を、遊戯台１の上面５と枠部４との間の隙間Ｓ１に差し込んで係止し、重し部１８を介してカバー本体１７を遊戯台１の前面３へ垂らすよう伸張して配置する。ここで、差込係止部１６は、遊戯台１の上面５と枠部４との間の隙間Ｓ１に挟み込まれて係止されると共に、密着材２０により滑り落ちることを防止している。
【００２４】
このように、本形態の第一例によれば、上皿部１０若しくは下皿部１１にパチンコ玉を溜めた状態で遊戯台１の使用者が休憩を取る場合や、故障や認可待ちにより遊戯台１を使用できない場合であっても、差込係止部１６を、遊戯台１と枠部４との間の隙間Ｓ１に差し込んで係止し、カバー本体１７を遊戯台１の前面３に配置し得るので、カバー本体１７により遊戯台１を被って使用できないようにすることができる。又、カバー本体１７により上皿部１０及び下皿部１１を被うので、上皿部１０及び下皿部１１に対して容易に触れる状態を制限し、盗難や誤使用を防止することができる。更に、差込係止部１６により係止されたカバー本体１７により遊戯台１の前面３を被うので、遊戯台１の前面３における上皿部１０、下皿部１１、ハンドル等の操作部１２、装飾部１３の形状に影響を受けることなく、カバー本体１７を容易に配置することができる。更に又、遊戯台カバー１５を使用しない場合には、カバー本体１７を折り畳むことによりコンパクトに収納することができる。
【００２５】
差込係止部１６を、密着材２０を備えた平面板１９で構成すると、差込係止部１６を、遊戯台１と枠部４との間の隙間Ｓ１に差し込んで容易に係止し得るので、カバー本体１７を遊戯台１の前面３に好適に配置することができる。
【００２６】
カバー本体１７の外側面に、表示物を差し込むよう収納部２１を備えると、収納部２１を介して表示物を配置し得るので、遊戯台１が使用できないことを表示物により知らせ、盗難や誤使用を一層好適に防止することができる。
【００２７】
図６は、本発明の遊戯台カバーを実施する形態の第二例を示すもので、第一例と同一の符号を付した部分は同一物を表わしている。
【００２８】
本形態の第二例の遊戯台カバー２２は、遊戯台１の左側面６と枠部４との間の隙間Ｓ２に差し込み得る厚さの左側用の差込係止部２３と、遊戯台１の右側面７と枠部４との間の隙間Ｓ２に差し込み得る厚さの右側用の差込係止部２４と、左側用の差込係止部２３と右側用の差込係止部２４の間に張設されるよう夫々の差込係止部２３，２４に接続されて延在するカバー本体２５とを備えている。
【００２９】
夫々の差込係止部２３，２４は、長方形で樹脂製の平面板２６と、遊戯台１の側面６，７に向かうよう平面板２６の側面に縫い付けられるスポンジ等の柔軟なシート状の密着材２７とから構成されており、平面板２６と密着材２７の間には、カバー本体２５の側端部を挟み込んで縫い付けている。又、夫々の差込係止部２３の中途位置には、遊戯台１の両側面に形成された突起部２８に係止し得るよう鉤状の切込み２９を形成している。ここで、切込み２９の形状は、鉤状に限定されるものでなく、遊戯台１の突起部２８に係止し得るならばどのような形状でも良い。又、密着材２７は、隙間Ｓ２に差し込んで係止し得るならば、どのような形状、材質、大きさでも良い。
【００３０】
カバー本体２５は一枚のメッシュ布で構成されており、カバー本体２５の外側面には「離席中」等の表示や「新台ＯＰＥＮ」等の広告のチラシやプレート（表示物）を表示し得るよう、チラシやプレート（表示物）を上方若しくは側方から差し込むポケット状の透明な収納部３０を縫い付けている。ここで、カバー本体２５は、メッシュ状の素材に限定されるものでなく、布、ビニール等のカバー形状を構成するならば、どのような材質でも良い。
【００３１】
以下、本発明を実施する形態の第二例の作用を説明する。
【００３２】
遊戯台１の使用者が休憩を取る場合や、故障や認可待ちにより遊戯台１を使用できない場合には、左側用の差込係止部２３を、遊戯台１の左側面６と枠部４との間の隙間Ｓ２に差し込んで鉤状の切込み２９を遊戯台１の突起部２８に係止すると共に、右側用の差込係止部２４を、遊戯台１の右側面７と枠部４との間の隙間Ｓ２に差し込んで鉤状の切込み２９を遊戯台１の突起部２８に係止し、カバー本体２５により遊戯台１の前面３を被うように配置する。
【００３３】
このように、本形態の第二例によれば、第一例と略同様な作用効果を得ることができる。又、差込係止部２３に、遊戯台１の突起部２８に対応する切込み２９を備えるので、好適に差込係止部２３を係止することができる。
【００３４】
図７は、本発明の遊戯台カバーを実施する形態の第三例を示すもので、第一例と同一の符号を付した部分は同一物を表わしている。
【００３５】
本形態の第三例の遊戯台カバー３１は、遊戯台１の上面５と枠部４との間の隙間Ｓ１に差し込み得る厚さの差込係止部３２と、差込係止部３２に接続されて下方向へ延在するカバー本体３３と、カバー本体３３の下端に配置される軸部３４と、軸部３４の両端に配置される着脱可能な取付手段３５とを備えている。
【００３６】
差込係止部３２は、長方形で樹脂製の平面板３６と、平面板３６の裏面に縫い付けられたスポンジ等の柔軟なシート状の密着材３７とから構成されており、平面板３６と密着材３７の間には、カバー本体３３の上側端部を挟み込んで縫い付けている。ここで、密着材３７は、隙間Ｓ１に差し込んで係止し得るならば、どのような形状、材質、大きさでも良い。
【００３７】
カバー本体３３は一枚のメッシュ布で構成されており、カバー本体３３の外側面には「離席中」等の表示や「新台ＯＰＥＮ」等の広告のチラシやプレート（表示物）を表示し得るよう、チラシやプレート（表示物）を上方若しくは側方から差し込むポケット状の透明な収納部３８を縫い付けている。ここで、カバー本体３３は、メッシュ状の素材に限定されるものでなく、布、ビニール等のカバー形状を構成するならば、どのような材質でも良い。
【００３８】
軸部３４は、中空の軸状部材で構成されており、又、カバー本体３３の下部が折り返して縫い付けられることにより、軸部３４の両端を露出させるよう軸部３４を支持してカバー本体３３の下端に配置されている。
【００３９】
軸部３４の両端に位置する取付手段３５は、吸盤や磁石等の着脱自在な部材で構成されている。ここで、取付手段３５は、軸部３４でなく、カバー本体３３に備えられても良く、遊戯台１又は枠部４に着脱可能なものならば位置や手段は特に限定されるものではない。
【００４０】
以下、本発明を実施する形態の第三例の作用を説明する。
【００４１】
遊戯台１の使用者が休憩を取る場合や、故障や認可待ちにより遊戯台１を使用できない場合には、差込係止部３２を、遊戯台１の上面５と枠部４との間の隙間Ｓ１に差し込んで係止すると共に、取付手段３５を遊戯台１又は枠部４に取り付け（図７では枠部４の台座面１４）、カバー本体３３により遊戯台１の前面３を被うように配置する。ここで、差込係止部３２は、遊戯台１の上面５と枠部４との間の隙間Ｓ１に挟み込まれて係止されると共に、密着材３７により滑り落ちることを防止している。
【００４２】
このように、本形態の第三例によれば、第一例と略同様な作用効果を得ることができる。又、遊戯台１又は枠部４に着脱可能な取付手段３５を備えると、カバー本体３３を遊戯台１の前面３に好適に配置することができる。
【００４３】
なお、本発明は、上述の実施の形態にのみ限定されるものではなく、遊戯台は、パチンコに限定されるものでなく、スロットゲーム、ビデオゲーム等に用いても良いこと、その他、本発明の要旨を逸脱しない範囲内において種々変更を加え得ることは勿論である。
【図面の簡単な説明】
【００４４】
【図１】本発明の実施の形態の第一例を示す斜視図である。
【図２】図１のＩＩ−ＩＩ方向の矢視図である。
【図３】図１のＩＩＩ−ＩＩＩ方向の矢視図である。
【図４】第一例の遊戯台カバーを取り付ける状態を示す斜視図である。
【図５】第一例の遊戯台カバーを取り付けた状態を示す斜視図である。
【図６】本発明の実施の形態の第二例における遊戯台カバーを取り付ける状態を示す斜視図である。
【図７】本発明の実施の形態の第三例における遊戯台カバーを取り付ける状態を示す斜視図である。
【図８】遊戯台の一例を示す斜視図である。
【符号の説明】
【００４５】
１    遊戯台
３    前面
４    枠部
１６    差込係止部
１７    カバー本体
１９    平面板
２０    密着材
２１    収納部
２３    差込係止部
２４    差込係止部
２５    カバー本体
２６    平面板
２７    密着材
３０    収納部
３２    差込係止部
３３    カバー本体
３５    取付手段
３６    平面板
３７    密着材
３８    収納部
Ｓ１    隙間
Ｓ２    隙間
【図１】
2006174901.tif 000003
【図２】
2006174901.tif 000004
【図３】
2006174901.tif 000005
【図４】
2006174901.tif 000006
【図５】
2006174901.tif 000007
【図６】
2006174901.tif 000008
【図７】
2006174901.tif 000009
【図８】
2006174901.tif 000010